(57)【要約】【課題】色純度を向上させることが可能な表示装置を提供する。【解決手段】この表示装置１００は、有機ＥＬ素子４０ａ〜４０ｃを含む照明部３００と、照明部３００に重なるように配置され、マトリクス状に配置される複数の画素１９と、複数の画素１９に設けられる赤、緑および青の色のカラーフィルター１７とを含む反射型液晶表示部２００とを備え、照明部３００の有機ＥＬ素子４０ａ〜４０ｃは、それぞれ、反射型液晶表示部２００の青、緑および赤の色のカラーフィルター１７のそれぞれに対応して設けられ、照明部３００の有機ＥＬ素子４０ａ〜４０ｃから出射される光の波長は、反射型液晶表示部２００の青、緑および赤のカラーフィルター１７の色に対応して異なるように構成されている。【選択図】図１
2010224096.tif 000002
【特許請求の範囲】
【請求項１】
複数の発光素子を含む照明部と、
前記照明部に重なるように配置され、マトリクス状に配置される複数の画素と、前記複
数の画素に設けられる複数の色のカラーフィルターとを含む反射型液晶表示部とを備え、
前記照明部の複数の発光素子は、前記反射型液晶表示部の複数の色のカラーフィルター
のそれぞれに対応して設けられ、前記照明部の複数の発光素子から出射される光の波長は
、前記反射型液晶表示部の複数のカラーフィルターの色に対応して異なるように構成され
ている、表示装置。
【請求項２】
前記画素は、前記複数の色のカラーフィルターに対応するように複数のサブ画素を含み
、
前記カラーフィルターの色に対応して前記発光素子から出射される光の波長が異なるよ
うに構成されている前記発光素子は、平面的に見て、前記複数のサブ画素間の境界領域と
重なるように島状に配置されている、請求項１に記載の表示装置。
【請求項３】
同一の色のカラーフィルターを有する前記サブ画素が隣接するように前記複数の画素が
配置され、前記隣接する同一の色のカラーフィルターに対応する前記発光素子は、平面的
に見て、前記隣接する同一の色のカラーフィルターを有する前記サブ画素間の境界領域と
重なるように島状に配置されている、請求項２に記載の表示装置。
【請求項４】
前記照明部の発光素子は、前記反射型液晶表示部の複数の画素ごとに配置されている、
請求項１〜３のいずれか１項に記載の表示装置。
【請求項５】
前記カラーフィルターの色に対応する波長と、前記カラーフィルターに対応して設けら
れる前記照明部の発光素子から出射される光の波長とが略等しくなるように構成されてい
る、請求項１〜４のいずれか１項に記載の表示装置。
【請求項６】
前記反射型液晶表示部は、光を反射する機能を有する画素電極を含み、
前記照明部の発光素子から出射され、前記反射型液晶表示部のカラーフィルターの色に
対応して異なる波長を有する光が前記画素電極により反射された反射光により、前記反射
型液晶表示部に画像が表示されるように構成されている、請求項１〜５のいずれか１項に
記載の表示装置。
【請求項７】
前記複数の発光素子は、それぞれ、反射膜、陽極層、有機層、および陰極層がこの順で
積層され、前記反射膜と前記陰極層との間で光が共振するように構成されるとともに、前
記有機層に含まれる発光層が白色を発光し、
前記カラーフィルターは、赤、緑および青のカラーフィルターを含み、
前記陽極層の厚みを異ならせることにより、前記複数の発光素子から出射される光の波
長が異なるように構成されている、請求項１〜６のいずれか１項に記載の表示装置。
【請求項８】
前記複数の発光素子は、それぞれ、反射膜、陽極層、有機層および陰極層がこの順で積
層され、前記反射膜と前記陰極層との間で光が共振するように構成されるとともに、前記
有機層に含まれる発光層が赤、緑または青の色を発光し、
前記カラーフィルターは、赤、緑および青のカラーフィルターを含み、
前記有機層の厚みを異ならせることにより、前記複数の発光素子から出射される光の波
長が異なるように構成されている、請求項１〜６のいずれか１項に記載の表示装置。
【請求項９】
請求項１〜８のいずれか１項に記載の表示装置を備える、電子機器。
【発明の詳細な説明】
【技術分野】
【０００１】
本発明は、表示装置および電子機器に関し、特に、照明部と、照明部に重なるように配
置される反射型液晶表示部とを備える表示装置および電子機器に関する。
【背景技術】
【０００２】
従来、照明部と、照明部に重なるように配置される反射型液晶表示部とを備える表示装
置が知られている（たとえば、特許文献１参照）。上記特許文献１に記載の表示装置では
、照明部には、基板上に形成された陽極層と、ライン状の陰極層と、陽極層および陰極層
の間に設けられた有機層とからなる有機ＥＬ素子（有機エレクトロルミネッセンス素子）
が設けられている。なお、基板上に形成された陽極層とライン状の陰極層との間に挟まれ
る領域の有機層が発光領域となるため、発光領域もライン状となる。そして、ライン状の
発光領域から出射される波長が略等しい光が、赤、緑および青に対応する画素（サブ画素
）に出射されるように構成されている。
【先行技術文献】
【特許文献】
【０００３】
【特許文献１】特開２００６−３５０３０３号公報
【発明の概要】
【発明が解決しようとする課題】
【０００４】
しかしながら、上記特許文献１に記載の表示装置では、赤、緑および青のサブ画素に出
射される光の波長が全て略等しいため、反射型液晶表示部に表示される画像の色が忠実に
再現されない（色純度が低い）という問題点がある。
【０００５】
この発明は、上記のような課題を解決するためになされたものであり、この発明の１つ
の目的は、色純度を向上させることが可能な表示装置および電子機器を提供することであ
る。
【課題を解決するための手段および発明の効果】
【０００６】
上記目的を達成するために、この発明の第１の局面における表示装置は、複数の発光素
子を含む照明部と、照明部に重なるように配置され、マトリクス状に配置される複数の画
素と、複数の画素に設けられる複数の色のカラーフィルターとを含む反射型液晶表示部と
を備え、照明部の複数の発光素子は、反射型液晶表示部の複数の色のカラーフィルターの
それぞれに対応して設けられ、照明部の複数の発光素子から出射される光の波長は、反射
型液晶表示部の複数のカラーフィルターの色に対応して異なるように構成されている。
【０００７】
この第１の局面による表示装置では、上記のように、照明部の複数の発光素子を、反射
型液晶表示部の複数の色のカラーフィルターのそれぞれに対応して設けて、複数の発光素
子から出射される光の波長を、複数のカラーフィルターの色に対応して異なるように構成
することによって、照明部の複数の発光素子から出射される光の波長と反射型液晶表示部
の複数のカラーフィルターの色に対応する波長とをそれぞれ合致させることができるので
、照明部の複数の発光素子から出射される光の波長が反射型液晶表示部のカラーフィルタ
ーの色に関係なく一定の波長からなる場合と異なり、反射型液晶表示部に表示される画像
の色純度を向上させることができる。
【０００８】
上記第１の局面による表示装置において、好ましくは、画素は、複数の色のカラーフィ
ルターに対応するように複数のサブ画素を含み、カラーフィルターの色に対応して発光素
子から出射される光の波長が異なるように構成されている発光素子は、平面的に見て、複
数のサブ画素間の境界領域と重なるように島状に配置されている。このように構成すれば
、発光素子が、平面的に見て、複数のサブ画素間の境界領域と重なるように配置されるこ
とにより、照明部の発光素子によって反射型液晶表示部のサブ画素を透過する光が遮られ
るのが抑制されるので、サブ画素の透過率が小さくなるのを抑制することができる。
【０００９】
この場合、好ましくは、同一の色のカラーフィルターを有するサブ画素が隣接するよう
に複数の画素が配置され、隣接する同一の色のカラーフィルターに対応する発光素子は、
平面的に見て、隣接する同一の色のカラーフィルターを有するサブ画素間の境界領域と重
なるように島状に配置されている。このように構成すれば、照明部の発光素子から出射さ
れた光が、反射型液晶表示部の隣接する同一の色のカラーフィルターを有するサブ画素に
入射されるので、発光素子から出射された光が、隣接する異なる色のカラーフィルターを
有するサブ画素に入射されることに起因して、反射型液晶表示部に表示される画像の色純
度が低下するのを抑制することができる。
【００１０】
上記第１の局面による表示装置において、好ましくは、照明部の発光素子は、反射型液
晶表示部の複数の画素ごとに配置されている。このように構成すれば、発光素子を、１つ
の画素ごとに配置する場合と比べて、発光素子が複数の画素ごとに配置されている分、表
示装置の構造を簡略化することができる。
【００１１】
上記第１の局面による表示装置において、好ましくは、カラーフィルターの色に対応す
る波長と、カラーフィルターに対応して設けられる照明部の発光素子から出射される光の
波長とが略等しくなるように構成されている。このように構成すれば、発光素子から出射
され、カラーフィルターに入射する光の波長と、カラーフィルターの色に対応する波長と
が略等しくなるので、カラーフィルターに入射する光の波長がカラーフィルターの色に対
応する波長と異なる場合と比べて、反射型液晶表示部に表示される画像の色純度が低下す
るのを抑制することができる。
【００１２】
上記第１の局面による表示装置において、好ましくは、反射型液晶表示部は、光を反射
する機能を有する画素電極を含み、照明部の発光素子から出射され、反射型液晶表示部の
カラーフィルターの色に対応して異なる波長を有する光が画素電極により反射された反射
光により、反射型液晶表示部に画像が表示されるように構成されている。このように構成
すれば、画素電極により反射された反射光が複数のカラーフィルターの色にそれぞれ対応
する波長を有するので、色純度が向上した画像を反射型液晶表示部に表示させることがで
きる。
【００１３】
上記第１の局面による表示装置において、好ましくは、複数の発光素子は、それぞれ、
反射膜、陽極層、有機層、および陰極層がこの順で積層され、反射膜と陰極層との間で光
が共振するように構成されるとともに、有機層に含まれる発光層が白色を発光し、カラー
フィルターは、赤、緑および青のカラーフィルターを含み、陽極層の厚みを異ならせるこ
とにより、複数の発光素子から出射される光の波長が異なるように構成されている。この
ように構成すれば、照明部の発光素子が反射膜と陰極層との間で光が共振されるマイクロ
キャビティ構造を有することにより、照明部の発光素子から反射型液晶表示部のカラーフ
ィルターに向かって出射される光のスペクトルが急峻になるので、色純度を向上させるこ
とができる。
【００１４】
上記第１の局面による表示装置において、好ましくは、複数の発光素子は、それぞれ、
反射膜、陽極層、有機層および陰極層がこの順で積層され、反射膜と陰極層との間で光が
共振するように構成されるとともに、有機層に含まれる発光層が赤、緑または青の色を発
光し、カラーフィルターは、赤、緑および青のカラーフィルターを含み、有機層の厚みを
異ならせることにより、複数の発光素子から出射される光の波長が異なるように構成され
ている。このように構成すれば、発光素子が反射膜と陰極層との間で光が共振されるマイ
クロキャビティ構造を有することにより、照明部の発光素子から反射型液晶表示部のカラ
ーフィルターに向かって出射される光のスペクトルが急峻になるので、色純度を向上させ
ることができる。
【００１５】
この発明の第２の局面による電子機器は、上記のいずれかの構成を有する表示装置を備
える。このように構成すれば、色純度を向上させることが可能な電子機器を得ることがで
きる。
【図面の簡単な説明】
【００１６】
【図１】本発明の第１実施形態による表示装置の断面図（図２の６００−６００線に沿った断面図）である。
【図２】本発明の第１実施形態による表示装置の平面図である。
【図３】本発明の第１実施形態による照明部の平面図である。
【図４】本発明の第１実施形態による照明部の有機ＥＬ素子の拡大平面図である。
【図５】図４の７００−７００線に沿った断面図である。
【図６】本発明の第２実施形態による表示装置の断面図である。
【図７】本発明の第３実施形態による表示装置の平面図である。
【図８】本発明の第１〜第３実施形態による表示装置を備えた第１の例による電子機器の斜視図である。
【図９】本発明の第１〜第３実施形態による表示装置を備えた第２の例による電子機器の斜視図である。
【図１０】本発明の第１〜第３実施形態による表示装置を備えた第３の例による電子機器の斜視図である。
【発明を実施するための形態】
【００１７】
以下、本発明の実施形態を図面に基づいて説明する。
【００１８】
（第１実施形態）
図１〜図５を参照して、本発明の第１実施形態による表示装置１００の構成について説
明する。
【００１９】
本発明の第１実施形態による表示装置１００は、図１に示すように、反射型液晶表示部
２００と、照明部３００とから構成されている。
【００２０】
まず、図１を参照して、反射型液晶表示部２００の構成について説明する。反射型液晶
表示部２００は、一対のガラス基板１１およびガラス基板１２を備え、ガラス基板１１の
表面上に複数のスイッチング用の薄膜トランジスタ（ＴＦＴ）１３が形成されている。薄
膜トランジスタ１３の表面上には層間絶縁膜１４が形成されているとともに、層間絶縁膜
１４の表面上には、各々の薄膜トランジスタ１３に対応するように画素電極１５が形成さ
れている。そして、薄膜トランジスタ１３と画素電極１５とは、層間絶縁膜１４に形成さ
れたコンタクトホール１４ａを介して接続されている。また、第１実施形態では、画素電
極１５は、アルミニウムなどの反射材料から構成されており、照明部３００から入射した
光が画素電極１５によって観察者側（矢印Ｚ１方向側）に反射されることにより、反射型
液晶表示部２００に表示される画像が観察者に認識されるように構成されている。
【００２１】
また、ガラス基板１２のガラス基板１１に対向する側（矢印Ｚ２方向側）の表面には、
遮光膜としてのブラックマトリクス１６が形成されている。また、ブラックマトリクス１
６の表面上には、赤（Ｒ）、緑（Ｇ）および青（Ｂ）のカラーフィルター１７が形成され
ている。なお、反射型液晶表示部２００には、複数のサブ画素１８が設けられており、赤
（Ｒ）、緑（Ｇ）および青（Ｂ）のカラーフィルター１７を有する３つのサブ画素１８に
より、１つの画素１９が構成されている。また、図２に示すように、画素１９（サブ画素
１８）は、マトリクス状に配置されている。また、ブラックマトリクス１６は、平面的に
見て、マトリクス状に配置される複数のサブ画素１８間を覆うように網目状に形成されて
いる。
【００２２】
また、図１に示すように、カラーフィルター１７の表面上には、共通電極２０が形成さ
れている。そして、ガラス基板１１およびガラス基板１２間には、液晶層２１が充填され
ている。また、ガラス基板１２の共通電極２０が形成された側の表面とは反対側（矢印Ｚ
１方向側）の表面上には光散乱層２２が形成されているとともに、光散乱層２２の表面上
には偏光板２３が形成されている。
【００２３】
次に、照明部３００の構成について説明する。照明部３００は、図１に示すように、一
対のガラス基板３１と、ガラス基板３２とが対向するように配置されている。なお、ガラ
ス基板３１とガラス基板３２とは、互いの周辺部分に塗布された樹脂などからなる図示し
ないシール層を介して接着されている。また、ガラス基板３１と、ガラス基板３２と、シ
ール層とに囲まれた空間は、窒素が充填されていてもよいし、ガラス基板３１と屈折率の
略等しい部材（樹脂など）を充填してもよい。
【００２４】
また、図１および図５に示すように、ガラス基板３２の矢印Ｚ２方向側の表面上には、
クロム（Ｃｒ）や酸化クロム（ＣｒＯ２）などからなる遮光膜３３が設けられている。な
お、遮光膜３３は、後述する有機ＥＬ素子４０から矢印Ｚ２方向側に出射された光が、矢
印Ｚ１方向側に漏れるのを抑制する機能を有する。また、遮光膜３３は、ガラス基板３２
の表面上にクロム（Ｃｒ）や酸化クロム（ＣｒＯ２）などからなる膜を形成した後に、こ
の膜をパターニングすることにより、ガラス基板３２の表面上に直接設けられている。ま
た、遮光膜３３は、後述する反射膜３４、陽極層３５ａ（３５ｂ、３５ｃ）および有機層
３８よりも、平面的に見て、はみ出すように形成されている。また、遮光膜３３の矢印Ｚ
２方向側の表面上には、アルミニウム（Ａｌ）などからなる反射膜３４が形成されている
。なお、反射膜３４は、反射膜３４と後述する陰極層３９との間で光を共振させるために
設けられている。
【００２５】
また、反射膜３４およびガラス基板３２の表面上には、それぞれ、ＩＴＯ（Ｉｎｄｉｕ
ｍ  Ｔｉｎ  Ｏｘｉｄｅ）またはＩＺＯ（Ｉｎｄｉｕｍ  Ｚｉｎｃ  Ｏｘｉｄｅ）からな
る透明電極３５および透明電極３６が形成されている。また、図３に示すように、透明電
極３５および透明電極３６は、平面的に見て、櫛歯状に形成されており、櫛歯状の透明電
極３５および透明電極３６は、互いの歯部３５ｄと歯部３６ａとが交互に配置されるよう
に構成されている。そして、透明電極３５に正の電圧が印加されるとともに、透明電極３
６に負の電圧が印加されるように構成されている。
【００２６】
また、図５に示すように、遮光膜３３、反射膜３４、透明電極３５、透明電極３６、お
よび、ガラス基板３２の表面上を覆うように、透光性を有する絶縁膜３７が形成されてい
る。なお、絶縁膜３７は、後述する陽極層３５ａ（３５ｂ、３５ｃ）と陰極層３９とが接
触することによりショートするのを抑制する機能を有する。また、絶縁膜３７は、ガラス
基板３２の略全面を覆うように開口部を有しない１つの膜から形成されていてもよいし、
平面的に見て、陰極層３９と重なるガラス基板３２の表面上の領域のみに形成されていて
もよい。
【００２７】
また、絶縁膜３７には、コンタクトホール３７ａおよび３７ｂが形成されている。また
、透明電極３５の表面上には、絶縁膜３７のコンタクトホール３７ａを埋めるように有機
層３８が形成されている。また、有機層３８は、絶縁膜３７の表面上に乗り上げるように
形成されている。ここで、第１実施形態では、有機層３８に含まれる発光層からは、白色
の光が出射されるように構成されている。また、図４に示すように、有機層３８は、平面
的に見て、略円形形状に形成されている。
【００２８】
また、図５に示すように、有機層３８と、絶縁膜３７のコンタクトホール３７ｂによっ
て露出した透明電極３６とに接触するとともに、絶縁膜３７の表面上を覆うように、陰極
層３９が形成されている。なお、陰極層３９は、アルミニウム層（Ａｌ層）や、マグネシ
ウム銀層（ＭｇＡｇ層）や銀層（Ａｇ層）や金層(Ａｕ)などからなるとともに、２０ｎｍ
以下の厚みを有する。これにより、陰極層３９は、半透過性を有する。
【００２９】
また、透明電極３５の有機層３８と接触している領域は、陽極層３５ａ（３５ｂ、３５
ｃ）として機能しており、陽極層３５ａ（３５ｂ、３５ｃ）、有機層３８、および、陰極
層３９により、有機エレクトロルミネッセンス素子（以下、有機ＥＬ素子）４０が構成さ
れている。なお、有機ＥＬ素子４０は、本発明の「発光素子」の一例である。そして、透
明電極３５の歯部３５ｄ（陽極層３５ａ〜３５ｃ）に印加された正の電圧と、透明電極３
６の歯部３６ａを介して陰極層３９に印加された負の電圧とが有機層３８に印加されるこ
とによって、有機層３８から矢印Ｚ２方向側に光が発光するように構成されている。すな
わち、第１実施形態における照明部３００は、有機ＥＬ素子４０からガラス基板３１を介
して外部（矢印Ｚ２方向側）に光を照射するトップエミッション型により構成されている
。
【００３０】
また、第１実施形態では、図１に示すように、透明電極３５（陽極層３５ａ、３５ｂお
よび３５ｃ）の厚みは、反射型液晶表示部２００に設けられるカラーフィルター１７の色
に対応して厚みが異なるように構成されている。具体的には、青（Ｂ）のカラーフィルタ
ー１７に対応する（青のカラーフィルター１７の矢印Ｚ１方向側に位置する）有機ＥＬ素
子４０ａの陽極層３５ａの厚みｔ１と、緑（Ｇ）のカラーフィルター１７に対応する（緑
のカラーフィルター１７の矢印Ｚ１方向側に位置する）有機ＥＬ素子４０ｂの陽極層３５
ｂの厚みｔ２と、赤（Ｒ）のカラーフィルター１７に対応する（赤のカラーフィルター１
７の矢印Ｚ１方向側に位置する）有機ＥＬ素子４０ｃの陽極層３５ｃの厚みｔ３とは、ｔ
１＜ｔ２＜ｔ３の関係を満たすように構成されている。なお、第１実施形態では、有機Ｅ
Ｌ素子４０ａ（４０ｂ、４０ｃ）から出射される光の波長が、青（緑、赤）の色に対応す
る波長に合致する（略等しくなる）ように、陽極層３５ａ（３５ｂ、３５ｃ）の厚みｔ１
（ｔ２、ｔ３）は、青（緑、赤）の色に対応する波長に合致するように構成されている。
つまり、有機ＥＬ素子４０ａ、有機ＥＬ素子４０ｂ、および、有機ＥＬ素子４０ｃから出
射される光の波長が、カラーフィルター１７の色に対応して、それぞれ、異なるように構
成されている。なお、有機ＥＬ素子４０ａ〜４０ｃは、本発明の「発光素子」の一例であ
る。
【００３１】
そして、第１実施形態では、有機ＥＬ素子４０ａ〜４０ｃは、反射膜３４と陰極層３９
との間に形成される透明電極３５（陽極層３５ａ〜３５ｃ）および有機層３８において光
が共振するように構成されるマイクロキャビティ構造を有する。
【００３２】
ここで、第１実施形態では、図２に示すように、青（Ｂ）のカラーフィルター１７を有
するサブ画素１８は、Ｙ方向に隣接するように配置されており、平面的に見て、青のカラ
ーフィルター１７を有する２つのサブ画素１８間の境界領域上（ブラックマトリクス１６
上）に青色の波長に対応した有機ＥＬ素子４０ａが配置されている。また、緑（Ｇ）のカ
ラーフィルター１７を有するサブ画素１８は、Ｙ方向に隣接するように配置されており、
緑のカラーフィルター１７を有する２つのサブ画素１８間の境界領域上に緑色の波長に対
応した有機ＥＬ素子４０ｂが配置されている。また、赤（Ｒ）のカラーフィルター１７を
有するサブ画素１８は、Ｙ方向に隣接するように配置されており、赤のカラーフィルター
１７を有する２つのサブ画素１８間の境界領域上に赤色の波長に対応した有機ＥＬ素子４
０ｃが配置されている。
【００３３】
また、有機ＥＬ素子４０ａ〜４０ｃは、Ｘ方向に隣接するように設けられている。そし
て、第１実施形態では、有機ＥＬ素子４０ａ〜４０ｃは、複数の画素１９ごとに設けられ
ている。具体的には、第１実施形態では、有機ＥＬ素子４０ａ〜４０ｃは、Ｘ方向に２画
素ごとに設けられているとともに、Ｙ方向に４画素ごとに設けられている。そして、有機
ＥＬ素子４０ａ〜４０ｃは、平面的に見て、市松模様状（島状）に配置されている。
【００３４】
また、図１に示すように、反射型液晶表示部２００と照明部３００とは、反射型液晶表
示部２００の偏光板２３と照明部３００のガラス基板３１との間に設けられた樹脂性の接
着層４１によって互いに接着されている。
【００３５】
次に、図１を参照して、本発明の第１実施形態による表示装置１００の動作について説
明する。
【００３６】
まず、陽極層３５ａ（３５ｂ、３５ｃ）に正電圧が印加されるとともに、陰極層３９に
負電圧が印加される。これにより、有機ＥＬ素子４０から矢印Ｚ２方向側に光が出射され
る。有機ＥＬ素子４０から出射された光は、偏光板２３によって所定の方向に偏光される
とともに、光散乱層２２によって散乱される。光散乱層２２によって散乱された光は、ガ
ラス基板１２、カラーフィルター１７、および、透明電極からなる共通電極２０を通過し
て、液晶層２１に入射される。このとき、青色に対応した波長を有する有機ＥＬ素子４０
ａから出射された光は、青（Ｂ）のカラーフィルター１７を透過するとともに、緑色に対
応した波長を有する有機ＥＬ素子４０ｂから出射された光は、緑（Ｇ）のカラーフィルタ
ー１７を透過する。また、赤色に対応した波長を有する有機ＥＬ素子４０ｃから出射され
た光は、赤（Ｒ）のカラーフィルター１７を透過する。そして、液晶層２１に入射した光
は、アルミニウム（Ａｌ）などの反射材料からなる画素電極１５によって矢印Ｚ１方向側
に反射される。画素電極１５によって反射された光は、反射型液晶表示部２００に入射し
た経路と逆の経路を進むとともに、照明部３００に入射する。そして、照明部３００に入
射した光は、有機ＥＬ素子４０が配置される領域以外のガラス基板３２の領域を介して観
察者に観察される。
【００３７】
第１実施形態では、上記のように、照明部３００の有機ＥＬ素子４０ａ〜４０ｃを、反
射型液晶表示部２００の青、緑および赤の色のカラーフィルター１７のそれぞれに対応し
て設けて、有機ＥＬ素子４０ａ〜４０ｃから出射される光の波長を、青、緑および赤の色
のカラーフィルター１７に対応して異なるように構成することによって、照明部３００の
青、緑および赤の有機ＥＬ素子４０ａ〜４０ｃから出射される光の波長と反射型液晶表示
部２００の青、緑および赤のカラーフィルター１７の色に対応する波長とをそれぞれ合致
させることができるので、照明部３００の有機ＥＬ素子４０ａ〜４０ｃから出射される光
の波長が反射型液晶表示部２００のカラーフィルター１７の色に関係なく一定の波長から
なる場合と異なり、反射型液晶表示部２００に表示される画像の色純度を向上させること
ができる。
【００３８】
また、第１実施形態では、上記のように、有機ＥＬ素子４０を、平面的に見て、サブ画
素１８間の境界領域（ブラックマトリクス１６）と重なるように配置することによって、
照明部３００の有機ＥＬ素子４０によって反射型液晶表示部２００のサブ画素１８を透過
する光が遮られるのが抑制されるので、サブ画素１８の透過率が小さくなるのを抑制する
ことができる。
【００３９】
また、第１実施形態では、上記のように、同一の色（赤、緑または青）のカラーフィル
ター１７を有するサブ画素１８が隣接するように複数の画素１９を配置して、隣接する同
一の色のカラーフィルター１７に対応する有機ＥＬ素子４０（４０ａ、４０ｂまたは４０
ｃ）を、平面的に見て、隣接する同一の色のカラーフィルター１７を有するサブ画素１８
間の境界領域と重なるように島状に配置する。これにより、照明部３００の有機ＥＬ素子
４０から出射された光が、反射型液晶表示部２００の隣接する同一の色のカラーフィルタ
ー１７を有するサブ画素１８に入射されるので、有機ＥＬ素子４０から出射された光が、
隣接する異なる色のカラーフィルター１７を有するサブ画素１８に入射されることに起因
して、反射型液晶表示部２００に表示される画像の色純度が低下するのを抑制することが
できる。
【００４０】
また、第１実施形態では、上記のように、照明部３００の有機ＥＬ素子４０を、反射型
液晶表示部２００の複数の画素１９ごと（Ｘ方向に２画素ごと、Ｙ方向に４画素ごと）に
配置することによって、有機ＥＬ素子４０を、１つの画素１９ごとに配置する場合と比べ
て、有機ＥＬ素子４０が複数の画素１９ごとに配置されている分、表示装置１００の構造
を簡略化することができる。
【００４１】
また、第１実施形態では、上記のように、カラーフィルター１７の赤、緑および青の色
に対応する波長と、カラーフィルター１７に対応して設けられる照明部３００の有機ＥＬ
素子４０から出射される光の波長とを略等しくなるように構成することによって、カラー
フィルター１７に入射する光の波長がカラーフィルター１７の色に対応する波長と異なる
場合と比べて、反射型液晶表示部２００に表示される画像の色純度が低下するのを抑制す
ることができる。
【００４２】
また、第１実施形態では、上記のように、照明部３００の有機ＥＬ素子４０から出射さ
れ、反射型液晶表示部２００のカラーフィルター１７の色に対応して異なる波長を有する
光が画素電極１５により反射された反射光により、反射型液晶表示部２００に画像が表示
されるように構成することによって、画素電極１５により反射された反射光が複数のカラ
ーフィルター１７の色（赤、緑および青）にそれぞれ対応する波長を有するので、色純度
が向上した画像を反射型液晶表示部２００に表示させることができる。
【００４３】
また、第１実施形態では、上記のように、反射膜３４、陽極層３５ａ（３５ｂ、３５ｃ
）、有機層３８、および陰極層３９がこの順で積層され、反射膜３４と陰極層３９との間
で光が共振するように照明部３００の複数の有機ＥＬ素子４０をそれぞれ構成するととも
に、陽極層３５ａ（３５ｂ、３５ｃ）の厚みを異ならせることにより、照明部３００の複
数の有機ＥＬ素子４０から反射型液晶表示部２００のカラーフィルター１７に向かって出
射される光の波長が異なるように構成する。これにより、有機ＥＬ素子４０が反射膜３４
と陰極層３９との間で光が共振されるマイクロキャビティ構造を有するので、有機ＥＬ素
子４０から出射される光のスペクトルが急峻になる。その結果、色純度を向上させること
ができる。
【００４４】
（第２実施形態）
次に、図６を参照して、本発明の第２実施形態について説明する。この第２実施形態で
は、上記第１実施形態と異なり、有機層５２の厚みを異ならせることにより、有機ＥＬ素
子５０から出射される光の波長が異なるように構成されている表示装置１１０について説
明する。
【００４５】
第２実施形態による照明部３１０では、反射膜３４の表面上には、ＩＴＯまたはＩＺＯ
からなる透明電極５１（陽極層５１ａ）が形成されている。なお、透明電極５１は、上記
第１実施形態と異なり、全ての有機ＥＬ素子５０において、厚みが略等しい。また、透明
電極５１の表面上には、有機層５２が形成されている。また、有機層５２の表面上には、
陰極層３９が形成されている。そして、陽極層５１ａ、有機層５２および陰極層３９によ
って、有機ＥＬ素子５０が形成されている。なお、有機ＥＬ素子５０は、矢印Ｚ２方向側
に光が照射されるトップエミッション型である。なお、有機ＥＬ素子５０は、本発明の「
発光素子」の一例である。
【００４６】
また、反射型液晶表示部２００に設けられる、青（Ｂ）、緑（Ｇ）および赤（Ｒ）のカ
ラーフィルター１７に対応して、有機ＥＬ素子５０ａ、有機ＥＬ素子５０ｂおよび有機Ｅ
Ｌ素子５０ｃが設けられている。ここで、第２実施形態では、有機ＥＬ素子５０ａ、５０
ｂおよび５０ｃのそれぞれの有機層５２ａ、５２ｂおよび５２ｃの厚みｔ４、ｔ５および
ｔ６は、カラーフィルター１７の色に対応して異なっている。
【００４７】
具体的には、青（Ｂ）のカラーフィルター１７に対応する（青のカラーフィルター１７
の矢印Ｚ１方向側に位置する）有機ＥＬ素子５０ａの有機層５２ａの厚みｔ４と、緑（Ｇ
）のカラーフィルター１７に対応する（緑のカラーフィルター１７の矢印Ｚ１方向側に位
置する）有機ＥＬ素子５０ｂの有機層５２ｂの厚みｔ５と、赤（Ｒ）のカラーフィルター
１７に対応する（赤のカラーフィルター１７の矢印Ｚ１方向側に位置する）有機ＥＬ素子
５０ｃの有機層５２ｃの厚みｔ６とは、ｔ４＜ｔ５＜ｔ６の関係を満たすように構成され
ている。なお、第２実施形態では、有機層５２ａ、有機層５２ｂ、および、有機層５２ｃ
にそれぞれ含まれる発光層が、青、緑および赤の光を出射するように構成されている。そ
して、有機ＥＬ素子５０ａ（５０ｂ、５０ｃ）から出射される光の波長が、青（緑、赤）
の色に対応する波長に合致するように、有機層５２ａ（５２ｂ、５２ｃ）の厚みｔ４（ｔ
５、ｔ６）は、青（緑、赤）の色に対応する波長に合致するように構成されている。
【００４８】
そして、第２実施形態では、有機ＥＬ素子５０（５０ａ、５０ｂおよび５０ｃ）は、反
射膜３４と陰極層３９との間に形成される陽極層５１ａおよび有機層５２（５２ａ、５２
ｂおよび５２ｃ）において光が共振するように構成されるマイクロキャビティ構造を有す
る。
【００４９】
なお、第２実施形態のその他の構成は、上記第１実施形態と同様である。
【００５０】
第２実施形態では、上記のように、反射膜３４、陽極層５１ａ、有機層５２および陰極
層３９がこの順で積層され、反射膜３４と陰極層３９との間で光が共振するように照明部
３１０の複数の有機ＥＬ素子５０をそれぞれ構成するとともに、有機層５２の厚みを異な
らせることにより、照明部３１０の複数の有機ＥＬ素子５０から反射型液晶表示部２００
のカラーフィルター１７に向かって出射される光の波長が異なるように構成する。これに
より、有機ＥＬ素子５０が反射膜３４と陰極層３９との間で光が共振されるマイクロキャ
ビティ構造を有するので、有機ＥＬ素子５０から出射される光のスペクトルが急峻になる
。その結果、色純度を向上させることができる。
【００５１】
なお、第２実施形態のその他の効果は、上記第１実施形態と同様である。
【００５２】
（第３実施形態）
次に、図７を参照して、本発明の第３実施形態について説明する。この第３実施形態で
は、上記有機ＥＬ素子４０が市松模様状に配置された第１実施形態と異なり、有機ＥＬ素
子６０がマトリクス状に配置される表示装置１２０について説明する。
【００５３】
第３実施形態による表示装置１２０では、有機ＥＬ素子６０は、Ｘ方向に２画素ごとに
設けられているとともに、Ｙ方向に２画素ごとに設けられている。また、有機ＥＬ素子６
０が設けられる画素１９の行と、有機ＥＬ素子６０が設けられない画素１９の行とがＸ方
向に交互に配置されている。これにより、有機ＥＬ素子６０（３つの有機ＥＬ素子６０の
組）は、平面的に見て、マトリクス状に配置されている。なお、有機ＥＬ素子６０は、本
発明の「発光素子」の一例である。
【００５４】
なお、第３実施形態のその他の構成および効果は、上記第１実施形態と同様である。
【００５５】
図８、図９および図１０は、それぞれ、本発明の第１〜第３実施形態による表示装置１
００、１１０および１２０を用いた電子機器の一例を説明するための図である。図８〜図
１０を参照して、本発明の第１〜第３実施形態による表示装置１００、１１０および１２
０を用いた電子機器について説明する。
【００５６】
本発明の第１〜第３実施形態による表示装置１００、１１０および１２０は、図８〜図
１０に示すように、第１の例によるＰＣ（Ｐｅｒｓｏｎａｌ  Ｃｏｍｐｕｔｅｒ）５００
、第２の例による携帯電話５１０および第３の例による情報携帯端末（ＰＤＡ：Ｐｅｒｓ
ｏｎａｌ  Ｄｉｇｉｔａｌ  Ａｓｓｉｓｔａｎｔｓ）５２０などに用いることが可能であ
る。図８の第１の例によるＰＣ５００においては、キーボードなどの入力部５００ａおよ
び表示画面５００ｂなどに本発明の第１〜第３実施形態による表示装置１００、１１０お
よび１２０を用いることが可能である。図９の第２の例による携帯電話５１０においては
、表示画面５１０ａに本発明の第１〜第３実施形態による表示装置１００、１１０および
１２０が用いられる。図１０の第３の例による情報携帯端末５２０においては、表示画面
５２０ａに本発明の第１〜第３実施形態による表示装置１００、１１０および１２０が用
いられる。
【００５７】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００５８】
たとえば、上記第１〜第３実施形態では、赤、緑および青の３色のカラーフィルターに
対応するように有機ＥＬ素子から出射される光の波長を異ならせる例を示したが、本発明
はこれに限らず、２色または４色以上のカラーフィルターに対応するように有機ＥＬ素子
から出射される光の波長を異ならせてもよい。
【００５９】
また、上記第１〜第３実施形態では、有機ＥＬ素子が、２画素ごと、または、４画素ご
とに配置される例を示したが、本発明はこれに限らず、有機ＥＬ素子を２画素ごと、また
は、４画素ごと以外の画素ごとに配置してもよい。
【００６０】
また、上記第１〜第３実施形態では、有機ＥＬ素子が平面的に見て、市松模様状または
マトリクス状に規則的に配置される例を示したが、本発明はこれに限らず、有機ＥＬ素子
を平面的に見て、不規則に配置してもよい。
【００６１】
また、上記第１〜第３実施形態では、同一のカラーフィルターを有するサブ画素が隣接
するように配置される例を示したが、本発明はこれに限らず、同一のカラーフィルターを
有するサブ画素が隣接しないように配置してもよい。この場合、有機ＥＬ素子は、平面的
に見て、サブ画素の境界領域と重なるように配置されるのではなく、有機ＥＬ素子の出射
する光の波長に対応するカラーフィルターと対向するように配置される。
【００６２】
また、上記第１〜第３実施形態では、発光素子として有機ＥＬ素子を用いる例を示した
が、本発明はこれに限らず、発光素子として有機ＥＬ素子以外の発光素子を用いてもよい
。
【符号の説明】
【００６３】
１５  画素電極
１７  カラーフィルター
１８  サブ画素
１９  画素
３４  反射膜  
３５ａ、３５ｂ、３５ｃ、５１ａ  陽極層
３８、５２、５２ａ〜５２ｃ  有機層
３９  陰極層
４０、４０ａ〜４０ｃ、５０、５０ａ〜５０ｃ、６０  有機ＥＬ素子（発光素子）
１００、１１０、１２０  表示装置
２００  反射型液晶表示部
３００、３１０  照明部
５００、５１０、５２０  電子機器
【図１】
2010224096.tif 000003
【図２】
2010224096.tif 000004
【図３】
2010224096.tif 000005
【図４】
2010224096.tif 000006
【図５】
2010224096.tif 000007
【図６】
2010224096.tif 000008
【図７】
2010224096.tif 000009
【図８】
2010224096.tif 000010
【図９】
2010224096.tif 000011
【図１０】
2010224096.tif 000012